(57)【特許請求の範囲】
【請求項１】
運転者の心理状態を判定する運転者心理判定装置であって、
運転者の運転動作を検出する運転動作検出手段と、
運転場面を識別する運転場面識別手段と、
運転場面に対応する基本動作が記憶される記憶手段と、
前記運転場面識別手段で識別した運転場面における前記運転動作検出手段で検出した運
転動作と前記記憶手段に記憶されている基本動作とを比較し、当該識別した運転場面にお
ける動作時間の短縮を検出する動作時間短縮検出手段と、
前記動作時間短縮検出手段での動作時間の短縮の検出結果に基づいて運転者の心理状態
を判定する運転者心理判定手段とを備え、
運転場面は、乗車の場面であり、
乗車における運転動作全体の動作時間の短縮、乗車における個々の運転動作の動作時間
の短縮又は乗車における運転動作間の時間の短縮に基づいて運転者の心理状態を判定する
ことを特徴とする運転者心理判定装置。
【請求項２】
運転者の心理状態を判定する運転者心理判定装置であって、
運転者の運転動作を検出する運転動作検出手段と、
運転場面を識別する運転場面識別手段と、
運転場面に対応する基本動作が記憶される記憶手段と、
前記運転場面識別手段で識別した運転場面における前記運転動作検出手段で検出した運
転動作と前記記憶手段に記憶されている基本動作とを比較し、当該識別した運転場面にお
ける運転動作の省略を検出する動作省略検出手段と、
前記動作省略検出手段での運転動作の省略の検出結果に基づいて運転者の心理状態を判
定する運転者心理判定手段とを備え、
運転場面は、車線変更の場面であり、
車線変更における運転動作の省略に基づいて運転者の心理状態を判定することを特徴と
する運転者心理判定装置。
【請求項３】
運転者の心理状態を判定する運転者心理判定装置であって、
運転者の運転動作を検出する運転動作検出手段と、
運転場面を識別する運転場面識別手段と、
運転場面に対応する基本動作が記憶される記憶手段と、
前記運転場面識別手段で識別した運転場面における前記運転動作検出手段で検出した運
転動作と前記記憶手段に記憶されている基本動作とを比較し、当該識別した運転場面にお
ける運転動作の省略を検出する動作省略検出手段と、
前記動作省略検出手段での運転動作の省略の検出結果に基づいて運転者の心理状態を判
定する運転者心理判定手段とを備え、
運転場面は、車両発進の場面であり、
車両発進前に必要な運転動作の省略に基づいて運転者の心理状態を判定することを特徴
とする運転者心理判定装置。
【請求項４】
基本動作は、運転者の過去の運転動作に基づいて設定されることを特徴とする請求項１
〜請求項３のいずれか１項に記載する運転者心理判定装置。
【請求項５】
前記動作時間短縮検出手段で動作時間の短縮又は前記動作省略検出手段で運転動作の省
略を検出した場合、運転者が焦燥状態にあると判定することを特徴とする請求項１〜請求
項４のいずれか１項に記載する運転者心理判定装置。
【発明の詳細な説明】
【技術分野】
【０００１】
本発明は、高精度に運転者の心理状態を判定する運転者心理判定装置に関する。
【背景技術】
【０００２】
運転中の安全性を向上させるために、焦りなどの運転者の心理状態を判定する装置が各種提案されている。この判定装置としては、例えば、先行車両との実際の車間距離とそのときの車速に対応した基本車間距離（心理状態判定の基準）とを比較し、その実際の車間距離と基本車間距離の差異に基づいて心理状態を判定する装置がある（特許文献１参照）。この装置では、ある車速での実際の車間距離が安全な走行を確保するために必要な基準となる車間距離より短くなっている場合に運転者の心理状態に焦りなどがあると判断する。
【特許文献１】特開２００３−５１０９７号公報
【発明の開示】
【発明が解決しようとする課題】
【０００３】
先行車両との車間距離は、運転者の心理状態以外の要因（例えば、先行車両の加減速、渋滞）に基づいて変動する。そのため、車間距離の大小が自車両の運転者の心理状態だけを反映しているとは限らないので、単純に車間距離の大小関係によって運転者の心理状態を高精度に判定できない。
【０００４】
そこで、本発明は、運転者の心理状態を高精度に判定することができる運転者心理判定装置を提供することを課題とする。
【課題を解決するための手段】
【０００５】
本発明に係る運転者心理判定装置は、運転者の心理状態を判定する運転者心理判定装置であって、運転者の運転動作を検出する運転動作検出手段と、運転場面を識別する運転場面識別手段と、運転場面に対応する基本動作が記憶される記憶手段と、運転場面識別手段で識別した運転場面における運転動作検出手段で検出した運転動作と記憶手段に記憶されている基本動作とを比較し、当該識別した運転場面における動作時間の短縮を検出する動作時間短縮検出手段と、動作時間短縮検出手段での動作時間の短縮の検出結果に基づいて運転者の心理状態を判定する運転者心理判定手段とを備えることを特徴とする。
【０００６】
この運転者心理判定装置では、運転場面識別手段により、運転場面を識別する。運転者心理判定装置では、運転動作検出手段により、識別した運転場面において行った運転者の運転動作を検出する。この運転動作の検出では、少なくともその運転場面で行われた一連の運転動作における運転動作全体の時間、個々の運転動作の時間、運転動作間の時間などの時間に関する情報を取得する。また、運転者心理判定装置では、記憶手段から識別した運転場面における基本動作を読み出す。この基本動作は、各運転場面において運転者が通常行うべき基本的な運転動作であり、少なくともその運転場面で行われるべき一連の運転動作全体の基準時間、個々の運転動作の基準時間、運転動作間の基準時間などの時間に関する情報を含んでいる。そして、運転者心理判定装置では、動作時間短縮検出手段により、運転場面毎に、検出した運転動作と記憶していた基本動作との時間に関する情報を比較し、検出した運転動作が基本動作に比べて動作時間が短縮されているかを検出する。さらに、運転者心理判定装置では、運転者心理判定手段により、動作時間の短縮の検出結果から運転者の心理状態を判定する。所定の運転場面において運転者の運転動作が通常行われている基準時間前後で行われた場合と基準時間より明らかに短い時間で行われた場合とでは、運転者の心理状態が明らかに異なっている。つまり、運転者が通常行っている運転動作と比べて急いでいる場合には、運転者の心理状態としては平常状態から変化している。したがって、所定の運転場面における運転動作の動作時間の短縮には、運転者の心理状態が的確に表れる。このように、この運転者心理判定装置は、運転者の心理状態を高精度に判定することができる。
【０００７】
本発明の上記運転者心理判定装置では、運転場面は、車線変更の場面であり、車線変更における運転動作全体の動作時間の短縮、車線変更における個々の運転動作の動作時間の短縮又は車線変更における運転動作間の時間の短縮に基づいて運転者の心理状態を判定する構成としてもよい。
【０００８】
この運転者心理判定装置では、運転場面識別手段により、車線変更を識別する。運転者心理判定装置では、運転動作検出手段により、車線変更において行った運転者の運転動作を検出する。また、運転者心理判定装置では、記憶手段から車線変更における基本動作を読み出す。そして、運転者心理判定装置では、動作時間短縮検出手段により、車線変更における検出した運転動作と記憶していた基本動作との時間に関する情報を比較し、検出した運転動作が基本動作に比べて運転動作全体の動作時間が短縮、個々の運転動作の動作時間が短縮又は運転動作間の時間が短縮しているかを検出する。さらに、運転者心理判定装置では、運転者心理判定手段により、車線変更における動作時間の短縮の検出結果から運転者の心理状態を判定する。車線変更は自車線の車両の流れ（車速）、車線変更先の他車の有無や他車間の車間距離などの様々な要素があり、そのときの運転動作としてウィンカ操作、安全確認動作、ステアリング操作など各種操作が必要となる。そのため、車線変更における運転動作には運転者の心理状態が表れ易い。車線変更における動作時間の短縮としては、例えば、車線変更全体の動作時間の短縮、ステアリング操作時間の短縮、ウィンカ操作からステアリング操作までの時間の短縮がある。
【０００９】
本発明の上記運転者心理判定装置では、運転場面は、乗車の場面であり、乗車における運転動作全体の動作時間の短縮、乗車における個々の運転動作の動作時間の短縮又は乗車における運転動作間の時間の短縮に基づいて運転者の心理状態を判定する構成としてもよい。
【００１０】
この運転者心理判定装置では、運転場面識別手段により、乗車を識別する。運転者心理判定装置では、運転動作検出手段により、乗車において行った運転者の動作を検出する。また、運転者心理判定装置では、記憶手段から乗車における基本動作を読み出す。そして、運転者心理判定装置では、動作時間短縮検出手段により、乗車における検出した運転動作と記憶していた基本動作との時間に関する情報を比較し、検出した運転動作が基本動作に比べて運転動作全体の動作時間が短縮、個々の運転動作の動作時間が短縮又は運転動作間の時間が短縮しているかを検出する。さらに、運転者心理判定装置では、運転者心理判定手段により、その動作時間の短縮の検出結果から運転者の心理状態を判定する。乗車はドアを開閉してから発進するための数多くの動作（例えば、シートベルトの装着、エンジン始動、安全確認動作、サイドブレーキの解除、シフト操作、アクセル操作）が必要となる。そのため、乗車における運転動作には運転者の心理状態が表れ易い。乗車における動作時間の短縮としては、例えば、ドアの開閉時間の短縮、ドアを開いてから発進するまでの全体時間の短縮がある。
【００１１】
本発明に係る運転者心理判定装置は、運転者の心理状態を判定する運転者心理判定装置であって、運転者の運転動作を検出する運転動作検出手段と、運転場面を識別する運転場面識別手段と、運転場面に対応する基本動作が記憶される記憶手段と、運転場面識別手段で識別した運転場面における運転動作検出手段で検出した運転動作と記憶手段に記憶されている基本動作とを比較し、当該識別した運転場面における運転動作の省略を検出する動作省略検出手段と、動作省略検出手段での運転動作の省略の検出結果に基づいて運転者の心理状態を判定する運転者心理判定手段とを備えることを特徴とする。
【００１２】
この運転者心理判定装置では、運転場面識別手段により、運転場面を識別する。運転者心理判定装置では、運転動作検出手段により、識別した運転場面において行った運転者の運転動作を検出する。この運転動作の検出では、少なくともその運転場面で行われた一連の各運転動作自体の情報を取得する。また、運転者心理判定装置では、記憶手段から識別した運転場面における基本動作を読み出す。この基本動作は、所定の運転場面において運転者が通常行うべき基本的な運転動作であり、少なくともその運転場面で行われるべき一連の運転動作自体の情報を含んでいる。そして、運転者心理判定装置では、動作時間短縮検出手段により、運転場面毎に、検出した運転動作と記憶していた基本動作とを比較し、検出した一連の運転動作において一連の基本動作から省略されている運転動作があるか（運転場面において行わなければならない一連の運転動作の中で行っていない運転動作があるか）を検出する。さらに、運転者心理判定装置では、運転者心理判定手段により、運転動作の省略の検出結果から運転者の心理状態を判定する。所定の運転場面において運転者が通常行うべき全ての運転動作を行っている場合と一部の運転動作を行っていない場合とでは、運転者の心理状態が明らかに異なっている。つまり、運転者が通常行っている運転動作を行わなかった場合には、運転者の心理状態としては平常状態から変化している。したがって、所定の運転場面における運転動作の省略には、運転者の心理状態が的確に表れる。このように、この運転者心理判定装置は、運転者の心理状態を高精度に判定することができる。
【００１３】
本発明の上記運転者心理判定装置では、運転場面は、車線変更の場面であり、車線変更における運転動作の省略に基づいて運転者の心理状態を判定する構成としてもよい。
【００１４】
この運転者心理判定装置では、運転場面識別手段により、車線変更を識別する。運転者心理判定装置では、運転動作検出手段により、車線変更において行った運転者の動作を検出する。また、運転者心理判定装置では、記憶手段から車線変更における基本動作を読み出す。そして、運転者心理判定装置では、動作時間短縮検出手段により、車線変更における検出した各運転動作と記憶していた各基本動作とを比較し、車線変更において行う必要がある運転動作が全て行われたかを検出する。さらに、運転者心理判定装置では、運転者心理判定手段により、車線変更における運転動作の省略の検出結果から運転者の心理状態を判定する。上記したように車線変更における運転動作には運転者の心理状態が表れ易い。車線変更における運転動作の省略としては、例えば、ウィンカ操作の省略、安全確認動作の省略がある。
【００１５】
本発明の上記運転者心理判定装置では、運転場面は、車両発進の場面であり、車両発進前に必要な運転動作の省略に基づいて運転者の心理状態を判定する構成としてもよい。
【００１６】
この運転者心理判定装置では、運転場面識別手段により、車両発進を識別する。運転者心理判定装置では、運転動作検出手段により、車両発進において行った運転者の動作を検出する。また、運転者心理判定装置では、記憶手段から車両発進における基本動作を読み出す。そして、運転者心理判定装置では、動作時間短縮検出手段により、車両発進における検出した各運転動作と記憶していた各基本動作とを比較し、車両発進において行う必要がある運転動作が全て行われたかを検出する。さらに、運転者心理判定装置では、運転者心理判定手段により、車両発進における運転動作の省略の検出結果から運転者の心理状態を判定する。車両発進は、シートベルトの装着、エンジン始動、安全確認動作、サイドブレーキの解除、シフト操作、アクセル操作、暗いときにはヘッドライトの点灯などの数多くの運転動作が必要となる。そのため、車両発進における運転動作には運転者の心理状態が表れ易い。車両発進における運転動作の省略としては、例えば、シートベルトの装着の省略、安全確認動作の省略、ヘッドライトの点灯がある。
【００１７】
本発明の上記運転者心理判定装置では、基本動作は、運転者の過去の運転動作に基づいて設定される構成としてもよい。
【００１８】
この運転者心理判定装置では、運転場面毎に、運転者の運転動作を検出すると、その運転動作を各運転場面における運転動作として記憶手段に記憶する。この際、運転者の心理状態が平常状態と判定された場合の運転動作を記憶するとよい。そして、運転者心理判定装置では、この記憶手段から所定の運転場面の基本動作として運転者の過去の運転動作を読み出し、比較及び判定を行う。このように、運転者が通常行っている運転動作を基本動作として用いることにより、一般的な運転特性ではなく、運転者個々の運転特性と比較することになるので、運転者の心理状態をより高精度に判定することができる。
【００１９】
本発明の上記運転者心理判定装置では、動作時間短縮検出手段で動作時間の短縮又は動作省略検出手段で運転動作の省略を検出した場合、運転者が焦燥状態にあると判定する構成としてもよい。
【００２０】
この運転者心理判定装置では、運転者心理判定手段により、動作時間短縮検出手段で動作時間の短縮又は動作省略検出手段で運転動作の省略を検出した場合、運転者が焦燥状態にあると判定する。運転者が通常行っている運転動作に比べて素早く行っている場合や通常行っている運転動作自体を行わなかった場合、運転者は急いでおり、運転者の心理状態としては焦っていると判断できる。
【００２１】
なお、運転場面は、車両における運転者の動作に基づく様々な運転シーンであり、例えば、乗車、降車、発進、停止、右左折、車線変更、車両追い越し、灯火類の点灯／消灯、エンジンキーの操作、ワイパの操作、カーナビゲーションの操作がある。運転動作は、運転者が車両に乗車するときから降車するときまでの様々な動作であり、各種運転操作の他にミラーによる視認確認、目視確認、ミラー調整、シート調整、シートベルトの装着などの各種動作も含む。動作時間の短縮には、所定の運転場面における一連の運転動作の全体時間の短縮、一連の運転動作における個々の運転動作の時間の短縮、一連の運転動作における運転動作間の時間の短縮がある。
【発明の効果】
【００２２】
本発明は、各種運転場面における運転動作に関する時間や運転動作の省略に着目することにより、運転者の心理状態を高精度に判定することができる。
【発明を実施するための最良の形態】
【００２３】
以下、図面を参照して、本発明に係る運転者心理判定装置の実施の形態を説明する。
【００２４】
本実施の形態では、本発明の運転者心理判定装置を、運転者の先急ぎ状態（焦り状態）を判定する運転者心理判定装置に適用する。本実施の形態に係る運転者心理判定装置は、各運転場面に対応して運転者が行う運転動作に基づいて先急ぎ状態を判定する。
【００２５】
図１及び図２を参照して、本実施の形態に係る運転者心理判定装置１について説明する。図１は、本実施の形態に係る運転者心理判定装置の構成図である。図２は、車線変更開始時を示す模式図である。
【００２６】
運転者心理判定装置１は、各種運転場面における運転者の一連の動作を検出し、その検出した一連の動作と運転者が通常行っている一連の動作（基本動作）との比較結果に基づいて運転者の先急ぎ状態を判定する。そのために、運転者心理判定装置１は、ドライバ情報認識部２、環境情報認識部３、車両情報認識部４、先急ぎ判定ＥＣＵ[Electronic Control Unit]５を備えている。なお、本実施の形態では、ドライバ情報認識部２、環境情報認識部３、車両情報認識部４が特許請求の範囲に記載する運転動作検出手段に相当する。
【００２７】
ドライバ情報認識部２としては、顔向き・視線認識ＥＣＵ２０などがある。顔向き・視線認識ＥＣＵ２０では、カメラによって撮像したドライバの顔周辺の撮像画像に基づいてドライバの顔向きと視線を認識し、その認識情報を先急ぎ判定ＥＣＵ５に送信する。
【００２８】
環境情報認識部３としては、前方車両車速・距離認識ＥＣＵ３０、後方車両車速・距離認識ＥＣＵ３１、側方車両車速・距離認識ＥＣＵ３２、カーナビゲーションシステム３３、白線認識ＥＣＵ３４などがある。前方車両車速・距離認識ＥＣＵ３０では、カメラによって撮像した自車前方の撮像画像あるいはレーダセンサによる自車前方へのレーダ情報などに基づいて前方車両の有無及び前方車両が存在する場合には前方車両の車速や前方車両との距離を認識し、その認識情報を先急ぎ判定ＥＣＵ５に送信する。後方車両車速・距離認識ＥＣＵ３１では、カメラによって撮像した自車後方の撮像画像あるいはレーダセンサによる自車後方へのレーダ情報などに基づいて後方車両の有無及び後方車両が存在する場合には後方車両の車速や後方車両との距離を認識し、その認識情報を先急ぎ判定ＥＣＵ５に送信する。側方車両車速・距離認識ＥＣＵ３２では、カメラによって撮像した自車右側方の撮像画像及び自車左側方の撮像画像あるいはレーダセンサによる自車右側方へのレーダ情報及び自車左側方へのレーダ情報などに基づいて右前方車両の有無、左側方車両の有無及び側方車両が存在する場合には側方車両の車速や側方車両との距離を認識し、その認識情報を先急ぎ判定ＥＣＵ５に送信する。側方車両認識では、自車を基準として隣接車線内の前後一定区間内に存在する車両を認識し、一定区間内に２台以上の車両を認識した場合、各車両の情報を認識する。カーナビゲーションシステム３３は、自車の現在位置や走行方向の検出及び目的地までの経路案内などを行うシステムであり、これらの情報を先急ぎ判定ＥＣＵ５に送信する。また、カーナビゲーションシステム３３では、カーナビゲーションの各種設定を行うためのボタンの操作を検出し、更に、複数のボタン操作間の時間なども検出し、そのボタン操作情報を先急ぎ判定ＥＣＵ５に送信する。白線認識ＥＣＵ３４では、カメラによって撮像した自車前方の撮像画像に基づいて自車が走行中の車線の左右の白線を認識し、車線幅や自車の位置と左右の車線との位置関係（自車のふらつき）などを認識し、その認識した情報を先急ぎ判定ＥＣＵ５に送信する。
【００２９】
車両情報認識部４としては、車速認識ＥＣＵ４０、ステアリング操作認識ＥＣＵ４１、ブレーキ操作認識ＥＣＵ４２、ドア操作認識ＥＣＵ４３、ウィンカ操作認識ＥＣＵ４４、ワイパ操作認識ＥＣＵ４５、キー操作認識ＥＣＵ４６、シフト操作認識ＥＣＵ４７、灯火類操作認識ＥＣＵ４８などがある。車速認識ＥＣＵ４０は、車輪速センサによる車輪速情報などに基づいて自車の車速を認識し、その認識した車速を先急ぎ判定ＥＣＵ５に送信する。ステアリング操作認識ＥＣＵ４１では、操舵角センサによる操舵角あるいは操舵トルクセンサによる操舵トルクなどに基づいて運転者のステアリングホイールへの操作を検出し、ステアリング操作の有無、操作開始時間、操作終了時間、操作速度などを認識し、その認識したステアリング操作情報を先急ぎＥＣＵ５に送信する。ブレーキ操作認識ＥＣＵ４２では、ブレーキセンサによるブレーキペダルの踏み込み情報、パーキングブレーキセンサによるパーキングブレーキのＯＮ／ＯＦＦ情報などに基づいて運転者のフットブレーキやパーキングブレーキの操作の有無、操作開始時間、操作終了時間、操作速度などを認識し、その認識した各ブレーキ操作情報を先急ぎＥＣＵ５に送信する。ドア操作認識ＥＣＵ４３では、各ドアのドアセンサによるドアの開閉情報に基づいて各ドアの開閉、開閉時間などを認識し、その認識したドア操作情報を先急ぎＥＣＵ５に送信する。ウィンカ操作認識ＥＣＵ４４では、ウィンカスイッチに入力された方向指示（右方向指示オン、左方向指示オン、オフ）に基づいて右方向指示の有無、左方向指示の有無、スイッチの位置変化やその変化速度などを認識し、その認識したウィンカ操作情報を先急ぎＥＣＵ５に送信する。ワイパ操作認識ＥＣＵ４５では、ワイパスイッチに入力されたワイパモード指示（間欠作動オン、低速作動オン、高速作動オン、オフなど）に基づいて各モードの作動の有無、スイッチの位置変化やその変化速度などを認識し、その認識したワイパ操作情報を先急ぎＥＣＵ５に送信する。キー操作認識ＥＣＵ４６では、エンジンキースイッチに入力される指示（ＡＣＣオン、ＩＧオン、エンジン始動、オフ）に基づいて各モードのオン／オフ、スイッチの位置変化やその変化速度などを認識し、その認識したキー操作情報を先急ぎＥＣＵ５に送信する。シフト操作認識ＥＣＵ４７では、シフトポジショニングセンサで検出したシフトレバーの操作に基づいて各シフトポジションの位置、シフトポジションの位置変化やその変化速度などを認識し、その認識したシフト操作情報を先急ぎＥＣＵ５に送信する。灯火類操作認識ＥＣＵ４８では、ヘッドライトなどの点灯類のスイッチに入力された点灯指示（車幅灯オン、ロービームオン、ハイビームオン、オフなど）に基づいて点灯／消灯、スイッチの位置変化やその変化速度などを認識し、その認識した灯火類操作情報を先急ぎＥＣＵ５に送信する。
【００３０】
先急ぎ判定ＥＣＵ５は、ＣＰＵ[Central Processing Unit]、ＲＯＭ[ReadOnly Memory]、ＲＡＭ[Random Access Memory]などからなる。先急ぎ判定ＥＣＵ５では、各情報認識部２，３，４からの認識情報を取り入れる。そして、先急ぎ判定ＥＣＵ５では、各認識情報から車線変更などの運転場面を検出する。さらに、先急ぎ判定ＥＣＵ５では、運転場面毎に、各認識情報から運転動作を検出し、運転者が平常状態の場合には検出した運転動作を基本動作として記憶する。さらに、先急ぎ判定ＥＣＵ５では、運転場面毎に、今回検出した運転動作と記憶している基本動作とを比較し、この検出した運転動作と基本動作との差異を検出する。さらに、先急ぎ判定ＥＣＵ５では、その差異から運転者が先急ぎ状態（焦り状態）か否かを判定する。なお、本実施の形態では、先急ぎ判定ＥＣＵ５における各処理が特許請求の範囲に記載する運転場面識別手段、動作時間短縮検出手段、動作省略検出手段、運転者心理判定手段に相当し、先急ぎ判定ＥＣＵ５におけるＲＡＭが特許請求の範囲に記載する記憶手段に相当する。
【００３１】
基本動作は、運転場面毎に運転者が平常状態の場合に行った一連の運転動作であり、ＲＡＭの所定の領域に記憶される。記憶される基本動作としては、運転場面で行われる各運転動作、運転場面全体に要した時間、複数の運転動作間のインターバル時間、運転動作個々の動作時間などである。基本動作は、各運転場面について、１度だけ記憶するようにしてもよいし、所定回数だけ記憶するようにしてもよいし、あるいは、毎回記憶するようにしてもよい。複数回記憶する場合、運転者が行った運転動作について頻度の多い運転動作を記憶し、各時間について平均化した時間を記憶するようにする。
【００３２】
検出した運転動作と基本動作とを比較した場合、運転者が普段行っている動作と異なる動作を行ったときには、運転者が平常状態とは異なった心理状態と判断できる。特に、普段より急いで運転動作を行ったり、あるいは、普段行っている運転動作を省いたりする場合、運転者は焦っている（先を急いでいる）と推測できる。普段より急いで運転動作を行う場合には、運転場面全体の時間が短い場合、運転動作間のインターバル時間が短い場合、個々の運転動作の時間が短い場合がある。心理状態の判定結果としては、平常状態かあるいは先急ぎ状態かを判定してもよいし、基本動作との差異の度合いから先急ぎ度（焦り度）を複数段階で判定してもよい。
【００３３】
運転場面としては、複数の運転動作からなる運転場面と一つの運転動作からなる運転場面がある。複数の運転動作からなる運転場面としては、例えば、車線変更、乗車（発進まで含む）、停止時、カーナビゲーションにおける各種設定がある。一つの運転動作からなる運転場面としては、例えば、エンジンキーの操作、各種ライトスイッチの操作、ワイパスイッチの操作がある。以下、これらの各運転場面における先急ぎ状態の判定方法について説明する。
【００３４】
まず、図２を参照し、運転場面として車線変更について説明する。先急ぎ判定ＥＣＵ５では、車線変更の開始条件として、ウィンカ操作認識ＥＣＵ４４からの情報により方向指示が行われたか否かあるいは白線認識ＥＣＵ３４からの情報により自車が白線を超えたか否かを判定する。車線変更のための方向指示か否かは、カーナビゲーションシステム３３の地図データから複数車線存在、前方の一定区間内に交差点無しなどを条件とする。先急ぎ判定ＥＣＵ５では、車線変更のため方向指示がオンされた場合あるいは自車が白線を超えた場合に車線変更を開始したと判断する。そして、先急ぎ判定ＥＣＵ５では、この車線変更開始と判断した時点から、タイマを起動する。
【００３５】
そして、先急ぎ判定ＥＣＵ５では、側方車両車速・距離認識ＥＣＵ３２からの情報により自車が車線変更しようとしている側（ウィンカで方向指示している側、自車が白線を超えた側）の隣接車線の前後一定区間内に２台以上他車が存在するか否かを判定する。図２の例では、自車Ｖ１が左側の隣接車線に車線変更しようとしており、その左側隣接車線の前方側に他車Ｖ２が存在し、後方側に他車Ｖ３が存在する。２台以上他車が存在すると判定した場合、先急ぎ判定ＥＣＵ５では、自車が隣接車線の他車間に割り込もうとしていると判断し、各ＥＣＵからの情報に基づいて今回の運転動作の記憶を開始する。一方、２台以上他車が存在しないと判定した場合、割り込みではないので、先急ぎ判定ＥＣＵ５では、運転動作を記憶しない。
【００３６】
先急ぎ判定ＥＣＵ５では、車線変更の終了条件として、ウィンカ操作認識ＥＣＵ４４からの情報により方向指示を終了したか否かあるいは白線認識ＥＣＵ３４からの情報により自車全体が完全に白線を超えたか否かを判定する。先急ぎ判定ＥＣＵ５では、車線変更のため方向指示がオフされた場合あるいは自車全体が完全に白線を超えた場合に車線変更を終了したと判断する。そして、先急ぎ判定ＥＣＵ５では、タイマを停止するとともに、今回の運転動作の記憶も終了する。この運転動作の記憶では、記憶開始してから行った全ての運転動作、車線変更全体に要した時間、車線変更における運転動作間のインターバル時間、運転動作個々の動作時間などが記憶される。また、先急ぎ判定ＥＣＵ５では、車線変更途中で方向指示がオフされた場合あるいは自車全体が白線を超えなかった場合に車線変更を中止したと判断する。そして、先急ぎ判定ＥＣＵ５では、タイマを停止するとともに、記憶した運転動作を消去する。
【００３７】
割り込みの車線変更が終了した場合、先急ぎ判定ＥＣＵ５では、ＲＡＭの所定領域から車線変更における基本動作を読み出し、今回行った一連の運転動作と車線変更における基本動作とを比較する。車線変更における基本動作としては、例えば、ウィンカによる開始時の方向指示のオンと終了時のオフ、ルームミラーやサイドミラーによる安全確認及び目視による安全確認、ステアリングホイールによる操舵入力などの行うべき運転動作、車線変更全体に要した時間、運転動作間のインターバル時間、運転動作個々の動作時間が含まれている。比較では、今回の一連の運転動作と基本動作とにおいて、基本動作の中の全ての運転動作を行ったか否か、車線変更の全体時間の時間差、各運転動作間のインターバル時間の時間差、運転動作個々の動作時間の時間差の検出を行う。
【００３８】
そして、先急ぎ判定ＥＣＵ５では、比較結果に基づいて運転者が平常状態かあるいは先急ぎ状態（焦り状態）かを判定する。先急ぎ判定ＥＣＵ５では、運転者が普段行っている車線変更時の運転動作と明らかに異なっている場合に先急ぎ状態と判定する。先急ぎ状態と判定される場合としては、例えば、普段よりも車線変更の全体時間が短い場合、普段よりウィンカによる方向指示からステアリング操作開始（車線変更開始）までの時間が短い場合、普段よりステアリング操作時間が短い場合、ウィンカによる方向指示を行わなかった場合、後方確認などの安全確認動作を行わなかった場合である。運転者が平常状態と判定した場合、先急ぎ判定ＥＣＵ５では、ＲＡＭの所定領域に今回の運転動作を車線変更における基本動作として記憶する。
【００３９】
次に、運転場面として乗車（発進まで含む）について説明する。先急ぎ判定ＥＣＵ５では、乗車の開始条件として、ドア操作認識ＥＣＵ４３からの情報によりドアが開錠されたか否かを判定する。先急ぎ判定ＥＣＵ５では、ドアが開錠された場合に乗車を開始したと判断する。そして、先急ぎ判定ＥＣＵ５では、このドアを開錠したと判断した時点から、タイマを起動するとともに、各ＥＣＵからの情報に基づいて今回の運転動作を記憶する。
【００４０】
そして、先急ぎ判定ＥＣＵ５では、乗車から発進までの終了条件として、車速認識ＥＣＵ４０からの情報により自車が発進したか否かを判定する。先急ぎ判定ＥＣＵ５では、自車が発進した場合に乗車から発進を終了したと判断する。そして、先急ぎ判定ＥＣＵ５では、タイマを停止するとともに、今回の運転動作の記憶も終了する。また、先急ぎ判定ＥＣＵ５では、自車が発進しなかった場合に中止したと判断する。そして、先急ぎ判定ＥＣＵ５では、タイマを停止するとともに、記憶した運転動作を消去する。
【００４１】
発進まで終了した場合、先急ぎ判定ＥＣＵ５では、ＲＡＭの所定領域から乗車（発進まで）における基本動作を読み出し、今回行った一連の運転動作と乗車における基本動作とを比較する。乗車から発進における基本動作としては、例えば、ドアの開閉、シートベルトの装着、エンジンキー操作によるエンジン始動、ブレーキ操作、パーキングブレーキ解除、ルームミラーやサイドミラーによる安全確認及び目視による安全確認、アクセル操作、必要に応じてヘッドライトの点灯やワイパ始動などの行うべき運転動作、乗車開始から発進までの全体に要した時間、運転動作間のインターバル時間、運転動作個々の動作時間が含まれている。
【００４２】
そして、先急ぎ判定ＥＣＵ５では、比較結果に基づいて運転者が平常状態かあるいは先急ぎ状態（焦り状態）かを判定する。先急ぎ判定ＥＣＵ５では、運転者が普段行っている乗車から発進時の運転動作と明らかに異なっている場合に先急ぎ状態と判定する。先急ぎ状態と判定される場合としては、例えば、普段よりもドアを開錠したときから発進するまでの全体時間が短い場合、普段よりドアの開閉時間が短い場合、普段よりエンジンキーの操作時間が短い場合、シートベルトの装着を行わなかった場合、後方確認などの安全確認動作を行わなかった場合、必要時にヘッドライトの点灯などを行わなかった場合である。運転者が平常状態と判定した場合、先急ぎ判定ＥＣＵ５では、ＲＡＭの所定領域に今回の運転動作を乗車（発進まで含む）における基本動作として記憶する。
【００４３】
次に、運転場面として赤信号などでの停止時について説明する。先急ぎ判定ＥＣＵ５では、停止時の開始条件として、車速認識ＥＣＵ４０からの情報により自車が停止したか否かを判定する。先急ぎ判定ＥＣＵ５では、自車が停止した場合に停止時と判断する。そして、先急ぎ判定ＥＣＵ５では、この停止した時点から、タイマを起動するとともに、各ＥＣＵからの情報に基づいて今回の運転動作を記憶する。
【００４４】
先急ぎ判定ＥＣＵ５では、停止時の終了条件として、車速認識ＥＣＵ４０からの情報により自車が発進したか否かを判定する。先急ぎ判定ＥＣＵ５では、自車が発進した場合に停止時を終了したと判断する。そして、先急ぎ判定ＥＣＵ５では、タイマを停止するとともに、今回の運転動作の記憶も終了する。
【００４５】
停止が終了した場合、先急ぎ判定ＥＣＵ５では、ＲＡＭの所定領域から停止時における基本動作を読み出し、今回行った一連の運転動作と停止時における基本動作とを比較する。停止時における基本動作としては、例えば、ヘッドライトなどの消灯と点灯、シフトのニュートラル又はパーキングへの操作とドライブへの操作、パーキングブレーキの作動と解除、フットブレーキの解除と作動などの行うべき運転動作が含まれている。
【００４６】
そして、先急ぎ判定ＥＣＵ５では、比較結果に基づいて運転者が平常状態かあるいは先急ぎ状態（焦り状態）かを判定する。先急ぎ判定ＥＣＵ５では、運転者が普段行っている停止時の運転動作と明らかに異なっている場合に先急ぎ状態と判定する。先急ぎ状態と判定される場合としては、例えば、ヘッドライトの消灯を行わなかった場合、シフト操作を行わなかった場合、パーキングブレーキ操作を行わなかった場合である。運転者が平常状態と判定した場合、先急ぎ判定ＥＣＵ５では、ＲＡＭの所定領域に今回の運転動作を停止時における基本動作として記憶する。
【００４７】
次に、運転場面として目的地などのカーナビゲーションにおける各種設定について説明する。先急ぎ判定ＥＣＵ５では、カーナビゲーションにおける各種設定の開始条件として、カーナビゲーションシステム３３からの情報により設定が開始したか否かを判定する。先急ぎ判定ＥＣＵ５では、カーナビゲーションにおける設定が開始したと判定すると、この最初の操作入力を判断した時点から、タイマを起動するとともに、カーナビゲーションシステム３３からの情報に基づいて今回の設定操作を記憶する。
【００４８】
先急ぎ判定ＥＣＵ５では、カーナビゲーションにおける各種設定の終了条件として、カーナビゲーションシステム３３からの情報により設定が終了したか否かを判定する。先急ぎ判定ＥＣＵ５では、設定が終了したと判定すると、タイマを停止するとともに、今回の設定操作の記憶も終了する。また、先急ぎ判定ＥＣＵ５では、設定を途中で中止したと判定すると、タイマを停止するとともに、記憶した設定操作を消去する。
【００４９】
設定が終了した場合、先急ぎ判定ＥＣＵ５では、ＲＡＭの所定領域からカーナビゲーションにおける設定における基本動作を読み出し、今回行った一連の設定操作とカーナビゲーションの設定における基本操作とを比較する。この設定における基本操作としては、例えば、目的地などを設定する際の一連のボタン操作、設定開始から終了までの全体に要した時間、ボタン操作間のインターバル時間が含まれている。
【００５０】
そして、先急ぎ判定ＥＣＵ５では、比較結果に基づいて運転者が平常状態かあるいは先急ぎ状態（焦り状態）かを判定する。先急ぎ判定ＥＣＵ５では、運転者が普段行っているカーナビゲーションにおける設定時のボタン操作と明らかに異なっている場合に先急ぎ状態と判定する。先急ぎ状態と判定される場合としては、例えば、設定の全体時間が短い場合、ボタン操作間のインターバル時間が短い場合である。運転者が平常状態と判定した場合、先急ぎ判定ＥＣＵ５では、ＲＡＭの所定領域に今回の運転動作をカーナビゲーションの設定における基本動作として記憶する。
【００５１】
次に、運転場面としてエンジンキー操作について説明する。先急ぎ判定ＥＣＵ５では、キー操作認識ＥＣＵ４６からの情報によりキーの位置変化を検出し、エンジンキー操作がされたか否かを判定する。そして、先急ぎ判定ＥＣＵ５では、このエンジンキー操作が開始した時点からタイマを起動し、エンジンキーによる操作が終了した時点でタイマを停止する。このように運転場面がエンジンキー操作や各種スイッチ操作の１つの運転動作からなる場合、そのキーやスイッチの位置が変化した時点から停止した時点までの時間（すなわち、位置が変化する速度）を検出する。
【００５２】
エンジンキーの操作が終了すると、先急ぎ判定ＥＣＵ５では、ＲＡＭの所定領域から基本動作におけるエンジンキーの操作時間を読み出し、今回行ったエンジンキーの操作時間と基本動作におけるエンジンキーの操作時間とを比較する。そして、先急ぎ判定ＥＣＵ５では、操作時間の差に基づいて運転者が平常状態かあるいは先急ぎ状態（焦り状態）かを判定する。今回の操作時間が基本動作より速い場合、先急ぎ判定ＥＣＵ５では、運転者が焦り状態と判定する。今回の操作時間と基本動作との差が所定範囲の場合、先急ぎ判定ＥＣＵ５では、運転者が平常状態と判定し、ＲＡＭの所定領域に今回の操作時間を基本動作における操作時間として記憶する。
【００５３】
なお、運転場面としてライトスイッチ、ワイパスイッチ、エアコンのスイッチ類などの各種スイッチの操作についても、エンジンキーの操作と同様に、操作時間に基づいて焦り状態を判定することができる。
【００５４】
次に、運転場面として雨の状況に応じたワイパ操作について説明する。先急ぎ判定ＥＣＵ５では、ワイパ操作認識ＥＣＵ４５からの情報により、雨が降り始めたときにワイパが始動されたか否かあるいは雨が止んだときにワイパが停止されたか否かを判定する。所定時間経過後、先急ぎ判定ＥＣＵ５では、雨が降ったときあるいは止んだときに必要なワイパ操作を行ったか否かに基づいて運転者が平常状態かあるいは先急ぎ状態（焦り状態）かを判定する。ここでの、基本動作は、雨が降ったときに行う必要があるワイパ始動操作、あるいは、雨が止んだときに行う必要があるワイパ停止始動操作である。雨が降り始めたときにワイパが始動されなかった場合あるいは雨が止んだときにワイパが停止されなかった場合、先急ぎ判定ＥＣＵ５では、運転者が焦り状態と判定する。雨が降り始めたときにワイパが始動された場合あるいは雨が止んだときにワイパが停止された場合、先急ぎ判定ＥＣＵ５では、運転者が平常状態と判定する。なお、雨が降っているか否かは、雨滴センサによる雨滴の検出情報などを利用する。
【００５５】
なお、状況に応じて普段行っている運転動作としては、他にも、トンネルに入るときのヘッドライトの点灯、トンネルを出るときのヘッドライトの消灯、右左折のときのウィンカによる方向指示、乗車しているときのシートベルトの装着などがある。これらも、その状況に応じて運転動作を行ったか否かによって焦り状態を判定することができる。
【００５６】
運転者心理判定装置１では、先急ぎ状態を判定すると、その情報を安全性を向上させるために利用する。例えば、先急ぎ状態の場合には運転者に先急ぎ状態であることを認識させ、安全運転を促すメッセージや表示画像を生成し、スピーカとディスプレイに出力させたり、あるいは、車両に運転支援システム（プリクラッシュセーフティシステム、アダプティブクルーズコントロールシステム、レーンキープシステムなど）が搭載されている場合には制御タイミングを変えるなどの指示信号を送信する。
【００５７】
この運転者心理判定装置１によれば、様々な運転場面における運転動作とその運転場面における基本動作とを比較することにより、運転者の先急ぎ状態（焦り状態）を高精度に判定することができる。特に、運転者心理判定装置１では、基本動作として運転者が平常状態のときの普段行っている運転動作を設定することにより、運転者個々の運転特性に応じて、より高精度な判定を行うことができる。また、運転者心理判定装置１では、運転動作に関する時間と運転動作の省略の２つのパターンでの比較判定を行うので、様々な運転場面を対象として先急ぎ状態を判定することができる。
【００５８】
運転者心理判定装置１では、運転者の心理状態の表れやすい割り込みによる車線変更や乗車から発進までを運転場面として比較判定を行うので、より高精度に判定することができる。また、運転者心理判定装置１では、スイッチ操作などの１つの運転操作からなる運転場面からも簡単に先急ぎ状態を判定することができる。
【００５９】
さらに、このように運転者心理判定装置１において先急ぎ状態を判定し、この精度の高い判定結果を利用することにより、安全性を向上させることができる。
【００６０】
以上、本発明に係る実施の形態について説明したが、本発明は上記実施の形態に限定されることなく様々な形態で実施される。
【００６１】
例えば、本実施の形態では運転者の心理状態として先急ぎ状態（焦り状態）を判定する構成としたが、他の心理状態を判定する構成としてもよい。
【００６２】
また、本実施の形態では運転者の平常状態における各運転場面における運転動作を記憶し、その運転者個々の過去の平常状態のときの運転動作と比較することによって先急ぎ状態を判定する構成としたが、所定の運転場面における一般的な運転動作を記憶し、その一般的な運転動作と比較することによって先急ぎ状態を判定する構成としてもよい。
【００６３】
また、本実施の形態では幾つかの運転場面についての先急ぎ状態の判定について説明したが、他の運転場面についても適用可能である。例えば、割り込みの場合の車線変更について説明したが、割り込みでない場合の車線変更についても適用可能であり、乗車から発進までの場合について説明したが、乗車動作だけや発進動作だけについても適用可能である。
【図面の簡単な説明】
【００６４】
【図１】本実施の形態に係る運転者心理判定装置の構成図である。
【図２】車線変更開始時を示す模式図である。
【符号の説明】
【００６５】
１…運転者心理判定装置、２…ドライバ情報認識部、３…環境情報認識部、４…車両情報認識部、５…先急ぎ判定ＥＣＵ、２０…顔向き・視線認識ＥＣＵ、３０…前方車両車速・距離認識ＥＣＵ、３１…後方車両車速・距離認識ＥＣＵ、３２…側方車両車速・距離認識ＥＣＵ、３３…カーナビゲーションシステム、３４…白線認識ＥＣＵ、４０…車速認識ＥＣＵ、４１…ステアリング操作認識ＥＣＵ、４２…ブレーキ操作認識ＥＣＵ、４３…ドア操作認識ＥＣＵ、４４…ウィンカ操作認識ＥＣＵ、４５…ワイパ操作認識ＥＣＵ、４６…キー操作認識ＥＣＵ、４７…シフト操作認識ＥＣＵ、４８…灯火類操作認識ＥＣＵ
【図１】
0004702070.tif 000002
【図２】
0004702070.tif 000003